(57)【特許請求の範囲】
【請求項１】
管理装置の統合参照ポイントマネージャモジュール（ＩＲＰマネージャモジュール）に、
インターＲＡＴ（無線アクセス技術）省エネルギーをサポートするソースセルを特定させ、
前記ソースセルに近接するターゲットセルを特定させ、
前記ソースセルがまさに省エネルギー状態へ移行しようとするとき、前記ターゲットセルが、カバレッジを引き継ぐ１つの候補セルとして考えられると推奨される場合、前記ターゲットセルに対応する省エネルギーカバレッジ属性の第１の値を格納させ、
前記ソースセルがまさに前記省エネルギー状態へ移行しようとするとき、前記ターゲットセルが、カバレッジを引き継ぐ複数の候補セルの全体として考えられると、少なくとも１つの他のターゲットセルとともに推奨される場合、前記ターゲットセルに対応する前記省エネルギーカバレッジ属性の、前記第１の値とは異なる、第２の値を格納させ、
前記ソースセルは、ユニバーサル移動通信システム地上波無線アクセスネットワーク（ＵＴＲＡＮ）または進化型地上無線アクセスネットワーク（Ｅ−ＵＴＲＡＮ）である第１のＲＡＴのネットワークのセルであり、前記ソースセルは、カバレッジエリアを有し、前記カバレッジエリア外のユーザ機器（ＵＥ）は、前記ソースセルによってカバーされず、
前記ターゲットセルは、前記第１のＲＡＴとは異なる第２のＲＡＴのネットワークのセルであり、
前記省エネルギーカバレッジ属性は前記ターゲットセルに対応し、前記省エネルギーカバレッジ属性の値は、前記ソースセルが前記省エネルギー状態をアクティブ化すべくトリガされる場合、前記ターゲットセルが前記ソースセルのカバレッジを引き継ぐ候補セルとなるかどうか、およびどのようにしてなるかを示し、
前記ターゲットセルは、前記ターゲットセルのカバレッジエリアが前記ソースセルの前記カバレッジエリアを含むとき、１つの候補セルとして考えられると推奨され、
前記ターゲットセルが、前記ターゲットセルと少なくとも１つの他のターゲットセルとのカバレッジエリアの組み合わせが前記ソースセルの前記カバレッジエリアを含むときに、複数の候補セルの全体として考えられると、前記少なくとも１つの他のターゲットセルとともに推奨され、
前記ターゲットセルと前記少なくとも１つの他のターゲットセルとは異なるカバレッジエリアを有する
プログラム。
【請求項２】
前記管理装置はネットワーク管理（ＮＭ）装置である
請求項１に記載のプログラム。
【請求項３】
前記ターゲットセルはＵＴＲＡＮセルである
請求項１に記載のプログラム。
【請求項４】
前記ＵＴＲＡＮセルは、周波数分割多重（ＦＤＤ）モードセル、低チップレート時分割多重（ＴＤＤ）モードセル、または高チップレートＴＤＤモードセルである
請求項３に記載のプログラム。
【請求項５】
前記ターゲットセルは、ＧＳＭ（登録商標）／ＥＤＧＥ無線アクセスネットワーク（ＧＥＲＡＮ）セルである
請求項１に記載のプログラム。
【請求項６】
前記第１の値は、はい、であり、前記第２の値は、部分的、である
請求項１に記載のプログラム。
【請求項７】
前記省エネルギーカバレッジ属性は、無線ネットワーク関連のパラメータを含む情報オブジェクトクラスの一部である
請求項１に記載のプログラム。
【請求項８】
前記ＩＲＰマネージャモジュールにさらに、
前記ターゲットセルが、前記ソースセルがまさに省エネルギー状態へ移行しようとするとき、カバレッジを引き継ぐ候補セルとして考えられると推奨されもせず、前記ソースセルがまさに前記省エネルギー状態へ移行しようとするとき、カバレッジを引き継ぐ複数の候補セルの全体として考えられると、少なくとも１つの他のターゲットセルとともに推奨されもしない場合、前記ターゲットセルに対応する前記省エネルギーカバレッジ属性の、前記第１の値および前記第２の値とは異なる、第３の値を格納させる
請求項１から７の何れか一項に記載のプログラム。
【請求項９】
前記管理装置に、
複数の前記ターゲットセルの組み合わせが前記ソースセルのカバレッジを提供するかを、格納された前記省エネルギーカバレッジ属性の値に基づいて決定させ、
複数の前記ターゲットセルの組み合わせが前記ソースセルのカバレッジを提供する場合に、前記省エネルギー状態をアクティブ化させる
請求項１から８の何れか一項に記載のプログラム。
【請求項１０】
管理装置の統合参照ポイントマネージャモジュール（ＩＲＰマネージャモジュール）によって実行される省エネルギーカバレッジ属性の値を格納する方法であって、
インターＲＡＴ（無線アクセス技術）省エネルギーをサポートするソースセルを特定する段階と、
前記ソースセルに近接するターゲットセルを特定する段階と、
前記ソースセルがまさに省エネルギー状態へ移行しようとするとき、前記ターゲットセルが、カバレッジを引き継ぐ１つの候補セルとして考えられると推奨される場合、前記ターゲットセルに対応する省エネルギーカバレッジ属性の第１の値を格納する段階と、
前記ソースセルがまさに前記省エネルギー状態へ移行しようとするとき、前記ターゲットセルが、カバレッジを引き継ぐ複数の候補セルの全体として考えられると、少なくとも１つの他のターゲットセルとともに推奨される場合、前記ターゲットセルに対応する前記省エネルギーカバレッジ属性の、前記第１の値とは異なる、第２の値を格納する段階と、を備え、
前記ソースセルは、ユニバーサル移動通信システム地上波無線アクセスネットワーク（ＵＴＲＡＮ）または進化型地上無線アクセスネットワーク（Ｅ−ＵＴＲＡＮ）である第１のＲＡＴのネットワークのセルであり、前記ソースセルはカバレッジエリアを有し、前記カバレッジエリア外のユーザ機器（ＵＥ）は、前記ソースセルによってカバーされず、
前記ターゲットセルは、前記第１のＲＡＴとは異なる第２のＲＡＴのネットワークのセルであり、
前記省エネルギーカバレッジ属性は前記ターゲットセルに対応し、前記省エネルギーカバレッジ属性の値は、前記ソースセルが前記省エネルギー状態をアクティブ化すべくトリガされる場合、前記ターゲットセルが前記ソースセルのカバレッジを引き継ぐ候補セルとなるかどうか、およびどのようにしてなるかを示し、
前記ターゲットセルは、前記ターゲットセルのカバレッジエリアが前記ソースセルの前記カバレッジエリアを含むとき、１つの候補セルとして考えられると推奨され、
前記ターゲットセルが、前記ターゲットセルと少なくとも１つの他のターゲットセルとのカバレッジエリアの組み合わせが前記ソースセルの前記カバレッジエリアを含むときに、複数の候補セルの全体として考えられると、前記少なくとも１つの他のターゲットセルとともに推奨され、
前記ターゲットセルと前記少なくとも１つの他のターゲットセルとは異なるカバレッジエリアを有する
方法。
【請求項１１】
前記管理装置はネットワーク管理装置（ＮＭ装置）である
請求項１０に記載の方法。
【請求項１２】
前記ターゲットセルはＵＴＲＡＮセルであり、または前記ターゲットセルはＧＳＭ（登録商標）／ＥＤＧＥ無線アクセスネットワーク（ＧＥＲＡＮ）セルである
請求項１０に記載の方法。
【請求項１３】
前記ターゲットセルが、前記ソースセルがまさに省エネルギー状態へ移行しようとするとき、カバレッジを引き継ぐ候補セルとして考えられると推奨されもせず、前記ソースセルがまさに前記省エネルギー状態へ移行しようとするとき、カバレッジを引き継ぐ複数の候補セルの全体として考えられると、少なくとも１つの他のターゲットセルとともに推奨されもしない場合、前記ターゲットセルに対応する前記省エネルギーカバレッジ属性の、前記第１の値および前記第２の値とは異なる、第３の値を格納する段階をさらに備える
請求項１０から１２の何れか一項に記載の方法。
【請求項１４】
複数の前記ターゲットセルの組み合わせが前記ソースセルのカバレッジを提供するかを、格納された前記省エネルギーカバレッジ属性の値に基づいて決定する段階と、
複数の前記ターゲットセルの組み合わせが前記ソースセルのカバレッジを提供する場合に、前記省エネルギー状態をアクティブ化させる段階と、を備える
請求項１０から１３の何れか一項に記載の方法。
【請求項１５】
管理装置の統合参照ポイントマネージャモジュール（ＩＲＰマネージャモジュール）であって、
インターＲＡＴ（無線アクセス技術）省エネルギーをサポートするソースセルを特定する手段と、
前記ソースセルに近接するターゲットセルを特定する手段と、
前記ソースセルがまさに省エネルギー状態へ移行しようとするとき、前記ターゲットセルが、カバレッジを引き継ぐ１つの候補セルとして考えられると推奨される場合、前記ターゲットセルに対応する省エネルギーカバレッジ属性の第１の値を格納する手段と、
前記ソースセルがまさに前記省エネルギー状態へ移行しようとするとき、前記ターゲットセルが、カバレッジを引き継ぐ複数の候補セルの全体として考えられると、少なくとも１つの他のターゲットセルとともに推奨される場合、前記ターゲットセルに対応する前記省エネルギーカバレッジ属性の、前記第１の値とは異なる、第２の値を格納する手段と、を備え、
前記ソースセルは、ユニバーサル移動通信システム地上波無線アクセスネットワーク（ＵＴＲＡＮ）または進化型地上無線アクセスネットワーク（Ｅ−ＵＴＲＡＮ）である第１のＲＡＴのネットワークのセルであり、前記ソースセルは、カバレッジエリアを有し、前記カバレッジエリア外のユーザ機器（ＵＥ）は、前記ソースセルによってカバーされず、
前記ターゲットセルは、前記第１のＲＡＴとは異なる第２のＲＡＴのネットワークのセルであり、
前記省エネルギーカバレッジ属性は前記ターゲットセルに対応し、前記省エネルギーカバレッジ属性の値は、前記ソースセルが前記省エネルギー状態をアクティブ化すべくトリガされる場合、前記ターゲットセルが前記ソースセルのカバレッジを引き継ぐ候補セルとなるかどうか、およびどのようにしてなるかを示し、
前記ターゲットセルは、前記ターゲットセルのカバレッジエリアが前記ソースセルの前記カバレッジエリアを含むとき、１つの候補セルとして考えられると推奨され、
前記ターゲットセルが、前記ターゲットセルと少なくとも１つの他のターゲットセルとのカバレッジエリアの組み合わせが前記ソースセルの前記カバレッジエリアを含むときに、複数の候補セルの全体として考えられると、前記少なくとも１つの他のターゲットセルとともに推奨され、
前記ターゲットセルと前記少なくとも１つの他のターゲットセルとは異なるカバレッジエリアを有する
統合参照ポイントマネージャモジュール（ＩＲＰマネージャモジュール）。
【請求項１６】
前記管理装置はネットワーク管理装置（ＮＭ装置）である
請求項１５に記載のＩＲＰマネージャモジュール。
【請求項１７】
前記ターゲットセルはＵＴＲＡＮセルである
請求項１５に記載のＩＲＰマネージャモジュール。
【請求項１８】
前記ＵＴＲＡＮセルは、周波数分割多重（ＦＤＤ）モードセル、低チップレート時分割多重（ＴＤＤ）モードセル、または高チップレートＴＤＤモードセルである
請求項１７に記載のＩＲＰマネージャモジュール。
【請求項１９】
前記ターゲットセルは、ＧＳＭ（登録商標）／ＥＤＧＥ無線アクセスネットワーク（ＧＥＲＡＮ）セルである
請求項１５に記載のＩＲＰマネージャモジュール。
【請求項２０】
前記第１の値は、はい、であり、前記第２の値は、部分的、である
請求項１５に記載のＩＲＰマネージャモジュール。
【請求項２１】
前記省エネルギーカバレッジ属性は、無線ネットワーク関連のパラメータを含む情報オブジェクトクラスの一部である
請求項１５に記載のＩＲＰマネージャモジュール。
【請求項２２】
前記ターゲットセルが、前記ソースセルがまさに省エネルギー状態へ移行しようとするとき、カバレッジを引き継ぐ候補セルとして考えられると推奨されもせず、前記ソースセルがまさに前記省エネルギー状態へ移行しようとするとき、カバレッジを引き継ぐ複数の候補セルの全体として考えられると、少なくとも１つの他のターゲットセルとともに推奨されもしない場合、前記ターゲットセルに対応する前記省エネルギーカバレッジ属性の、前記第１の値および前記第２の値とは異なる、第３の値を格納する手段をさらに備える
請求項１５から２１の何れか一項に記載のＩＲＰマネージャモジュール。
【請求項２３】
複数の前記ターゲットセルの組み合わせが前記ソースセルのカバレッジを提供するかを、格納された前記省エネルギーカバレッジ属性の値に基づいて決定する手段と、
複数の前記ターゲットセルの組み合わせが前記ソースセルのカバレッジを提供する場合に、前記省エネルギー状態をアクティブ化させる手段と、を備える
請求項１５から２２の何れか一項に記載のＩＲＰマネージャモジュール。
【発明の詳細な説明】
【技術分野】
【０００１】
［関連出願の相互参照］
本願は、２０１２年４月２７日出願の「Ａｄｖａｎｃｅｄ  Ｗｉｒｅｌｅｓｓ  Ｃｏｍｍｕｎｉｃａｔｉｏｎ  Ｓｙｓｔｅｍｓ  ａｎｄ  Ｔｅｃｈｎｉｑｕｅｓ」と題する米国仮特許出願第６１／６３９，７９５号の優先権を主張する、２０１２年１２月２８日出願の「インターＲＡＴ  Ｃｏｖｅｒａｇｅ  Ｄｅｔｅｒｍｉｎａｔｉｏｎ  ｆｏｒ  Ｅｎｅｒｇｙ  Ｓａｖｉｎｇ  Ｍａｎａｇｅｍｅｎｔ」と題する米国特許出願第１３／７３０，２４８号の優先権を主張する。両出願は、全ての目的のために、その全体が参照により本明細書に組み込まれる。
【０００２】
本開示は、概して無線通信に関し、より具体的には、省エネルギー管理（ＥＳＭ）のための異なる無線アクセス技術間（インターＲＡＴ）のカバレッジを決定するシステムおよび技術に関する。
【背景技術】
【０００３】
ＥＳＭ技術は、オフピーク時に頻繁に使用されるコンポーネント（第３世代パートナーシッププロジェクトロングタームエボリューション（３ＧＰＰ  ＬＴＥ））のセルや他の「ホットスポット」セルなど）をスイッチオフすべく、無線通信システムにおいて配備されてきた。このようなコンポーネントが切り替えられると、レガシ無線通信システムセルは、加入者にサービスを提供することを見込まれ得る。このようなレガシシステムセルの例としては、ユニバーサル移動通信システム地上波無線アクセスネットワーク（ＵＴＲＡＮ）セル、またはＧＳＭ（登録商標）／ＥＤＧＥ無線アクセスネットワーク（ＧＥＲＡＮ）セルなどがある。現在のＥＳＭ技術は、レガシセルのカバレッジがホットスポットセルを完全に含み、それゆえスイッチオフされたホットスポットセルのカバレッジはただ１つのレガシセルによって引き継がれることが可能であることを一般的に仮定している。この仮定が成り立たない場合、現在のＥＳＭ技術は、レガシセルにカバーされるコンポーネントのスイッチオフを妨げるため、エネルギーを無駄にすることになる。
【図面の簡単な説明】
【０００４】
添付の図面とともに以下の詳細な説明により、複数の実施形態が容易に理解されるであろう。説明を容易にする目的で、同じ参照番号は同じ構成要素を示す。複数の実施形態は、添付の図面の複数の図において、例として説明されるのであり、限定する目的で説明されるのではない。
【０００５】
【図１】さまざまな実施形態による、第１のＲＡＴの１つのセルが、第１のＲＡＴとは異なるＲＡＴの２つのセルの組み合わせによりカバーされる環境を説明する図である。
【図２Ａ】さまざまな実施形態による、ＥＳＭ統合参照ポイント（ＩＲＰ）マネージャの例を説明するブロック図である。
【図２Ｂ】さまざまな実施形態による、エージェントモジュールの例を説明するブロック図である。
【図３】さまざまな実施形態による、インターＲＡＴ  ＥＳＭのシステムの例を説明するブロック図である。
【図４】さまざまな実施形態による、インターＲＡＴ  ＥＳＭ処理の第１の例のフロー図である。
【図５】さまざまな実施形態による、インターＲＡＴ  ＥＳＭ処理の第２の例のフロー図である。
【図６】さまざまな実施形態による、開示される実施形態の実行に適したコンピューティングデバイスの例のブロック図である。
【発明を実施するための形態】
【０００６】
ＥＳＭのためのインターＲＡＴカバレッジを決定するシステムおよび技術の実施形態が記載される。いくつかの実施形態において、ネットワーク管理（ＮＭ）装置は、第１のＲＡＴのソースセルが省エネルギー状態（ＥＳＳ）をアクティブ化すべくトリガされること、および、このソースセルが、第１のＲＡＴとは異なる１または複数のＲＡＴの１または複数のネットワークの複数のセルのそれぞれにより部分的にオーバーラップされていることを決定し得る。ＮＭ装置は、複数のセルの組み合わせがソースセルのカバレッジを提供する場合、このソースセルに命令し、ＥＳＳをアクティブ化し得る。他の実施形態が記載され、特許請求の範囲であり得る。
【０００７】
本明細書にて開示されるシステムおよび技術は、ソースセルが、異なるＲＡＴの複数のセルの組み合わせによってカバーされる場合に、ソースセルがＥＳＳに入ることを可能にすることで、無線通信ネットワークにおけるエネルギー消費量を減らし得る。本明細書にて開示されるシステムおよび技術はまた、どのセルが他のＲＡＴの複数のセルの組み合わせによりカバーされるか特定し、それによって複数のＲＡＴにまたがるカバレッジのさらなる全体像を提供することにより、マルチ−ＲＡＴ環境におけるリソース管理を改善し得る。本開示は、ネットワークの最適化が、１または複数のＮＭ装置または他のデバイスに集中される用途などを含む、自己組織ネットワーク（ＳＯＮ）の用途において特に有利であると言える。
【０００８】
以下の詳細な説明においては添付の図面を参照する。図面は、本明細書の一部を成し、本明細書を通して同じ番号は同じ部分を示し、実行され得る例示的な実施形態として示される。本開示の範囲を逸脱することなく、他の実施形態が利用され得て、構造的または論理的変更が施され得ることが理解されよう。故に、以下の詳細な説明は限定的な意味で解釈されるべきではなく、実施形態の範囲は添付の特許請求の範囲およびそれと等価なものによって定められる。
【０００９】
さまざまなオペレーションが、クレームされる主題の理解を最も助ける方法で、複数の別個の動作またはオペレーションとして順に記載されるであろう。しかしながら、記載の順序が、これらのオペレーションが必ず順序に依存することを暗示していると解釈すべきでない。具体的には、これらのオペレーションは提示の順序で実行されなくともよい。記載されるオペレーションは、記載される実施形態とは異なる順序で実行され得る。さまざまな追加的なオペレーションが実行され得て、および／または、記載されるオペレーションは追加的な実施形態においては省略され得る。
【００１０】
本開示の目的のため、「Ａおよび／またはＢ」および「ＡまたはＢ」という表現は、「Ａ」、「Ｂ」、または「ＡおよびＢ」を意味する。本開示の目的のため、「Ａ、Ｂ、および／またはＣ」は、「Ａ」「Ｂ」「Ｃ」「ＡおよびＢ」「ＡおよびＣ」「ＢおよびＣ」、または「Ａ、ＢおよびＣ」を意味する。
【００１１】
記載において、「一実施形態において」、または「複数の実施形態において」という表現を用いる。これらの表現は、同じまたは異なる実施形態のうちの１または複数をそれぞれ指し得る。さらに、本開示の実施形態に関して用いられるような、「備える（ｃｏｍｐｒｉｓｉｎｇ）」、「含む（ｉｎｃｌｕｄｉｎｇ）」、「有す（ｈａｖｉｎｇ）」などの用語は、同義である。
【００１２】
本明細書にて用いられ得るように、「モジュール」という用語は、特定用途向け集積回路（ＡＳＩＣ）、電子回路、１または複数のソフトウェアまたはファームウェアプログラムを実行するプロセッサ（共有、専用、またはグループ）および／またはメモリ（共有、専用、またはグループ）、組み合わせ論理回路、および／または記載される機能を提供する他の適したコンポーネント、を指すか、の一部であるか、または含み得る。
【００１３】
図１を参照すると、第１のＲＡＴのいくつかのセル、セル１０２、セル１０４、セル１０６およびセル１０８が、第１のＲＡＴとは異なる１または複数のＲＡＴのセル１１０およびセル１１２と多様にオーバーラップする環境１００が例示される。例えば、セル１０２、セル１０４、セル１０６およびセル１０８は、Ｅ−ＵＴＲＡＮセルであってよく、セル１１０はＵＴＲＡＮセルであってよく、セル１１２はＧＥＲＡＮセルであってもよい。
【００１４】
いくつかの実施形態において、セル１０２はＥＳＳをアクティブ化すべくトリガされ得る。トリガ前にセル１０２はＥＳＳでなくともよく、その代りに、通常またはピーク時のトラフィック状態を処理すべく構成されるデフォルト状態であってよい。ＥＳＳにおいて、セル１０２のいくつかの機能またはリソースはスイッチオフまたは制限され得る。制限された特定の機能またはリソース、および制限の度合いは、他の変数中、セルタイプおよび使用履歴によって変更し得る。セル１０２に関連付けられるＥＳＳは、以前はセル１０２により扱われるユーザ機器（ＵＥ）に、セル１０２はもはや無線通信サービスを提供できない状態であり得る。例えば、セル１０２に関連付けられるｅＮＢ（ｅｖｏｌｖｅｄ  ｎｏｄｅＢ）または他の関係回路（アンテナなど）は、低電力状態に遷移され得る。ＥＳＳでは、セル１０２はそのわずかなカバレッジエリアにおいては、いずれのＵＥにも見えない。サービスの中断を回避すべく、いくつかの実施形態において、セル１０２のカバレッジエリアは、セル１０２のＥＳＳのアクティブ化が可能になり得る前に、ＵＥがオフロードされ得る１または複数の他のセルによってカバーされ得る。
【００１５】
環境１００では、セル１０２を、他の第１のＲＡＴのセル１０４、セル１０６およびセル１０８はどれ１つとしてカバーし得ず、第１のＲＡＴのセル１０４、セル１０６およびセル１０８の何れの組み合わせもセル１０２をカバーし得ない。このように、現在セル１０２により扱われるＵＥが、イントラＲＡＴ遷移によりオフロードされることは可能ではあり得ない。更に、（セル１０２に関連付けられる第１のＲＡＴとは異なる１または複数のＲＡＴの１または複数のネットワークの）セル１１０もセル１１２もどちらも個々にはセル１０２をカバーし得ない。しかしながら、セル１１０およびセル１１２を合わせると、セル１１０およびセル１１２はセル１０２をカバーし得る。いくつかの実施形態において、第１のＲＡＴとは異なるＲＡＴの２つ以上のセルが、セル１０２をカバーするという決定に際して、元はセル１０２により扱われたＵＥは、インターＲＡＴハンドオーバーによりセル１１０およびセル１１２へオフロードされ得て、セル１０２はＥＳＳをアクティブ化し得る。ソースセルからセル１１０およびセル１１２へのトラフィックの分散は、たとえば、セル１１０およびセル１１２のトラフィック負荷に基づき得る（例えば、セル１１０およびセル１１２の負荷のバランスを取るために）。追加的な実施形態が本明細書にて記載される。
【００１６】
図２Ａおよび図２Ｂを参照すると、さまざまな実施形態による、ＥＳＭ統合参照ポイント（ＩＲＰ）マネージャモジュール２００およびエージェントモジュール２５０の例のブロック図がそれぞれ例示される。いくつかの実施形態において、本明細書にて記載されるインターＲＡＴ  ＥＳＭ処理は、ＥＳＭ統合ＩＲＰマネージャモジュール２００とＥＳＭ  ＩＲＰエージェントモジュール２５０との間の相互作用によって、全体でまたは一部で実行され得る。いくつかの実施形態において、ＥＳＭ  ＩＲＰエージェントモジュール２５０は１または複数のネットワーク要素（ＮＥ）のための一式のＥＳＭ機能をカプセル化し得る。ＮＥは、１または複数のデバイスを含み得る通信システムエンティティを含み得る。ＮＥの例は、ｅＮＢ、ＵＥ、スイッチ、ルータ、またはその他の通信システムコンポーネントを含み得る。ＥＳＭ  ＩＲＰエージェントモジュール２５０はＮＥと統合され得て、またはＮＥとは別個のコンピューティングデバイスと統合され得る。いくつかの実施形態において、ＥＳＭ  ＩＲＰマネージャモジュール２００は、異なるＮＥのＥＳＳ遷移のためのトリガ条件を構成することを含む、いくつかの用途のうちの何れかに対する１または複数のＥＳＭ  ＩＲＰエージェント（ＥＳＭ  ＩＲＰエージェントモジュール２５０など）によって提供される情報を使用し得る。ＥＳＭ  ＩＲＰマネージャモジュール２００によって実行され得るいくつかの機能が、本明細書にて記載される。
【００１７】
ＥＳＭ  ＩＲＰマネージャモジュール２００および／またはエージェントモジュール２５０は、いくつかの異なる装置のうちの何れかの装置の、無線通信システムのいくつかの異なるレベルのうちの何れかのレベル（ネットワーク管理（ＮＭ）レベルまたは要素管理（ＥＭ）レベルなど）において含まれ得る。例えば、いくつかの無線通信システムにおいて、ＥＳＭ処理は、１または複数のＮＭ装置のＮＭレベルに集中され得る。このようなシステムにおいては、ＥＳＭ  ＩＲＰマネージャモジュール２００は、システム内のＮＥに命令を与えてＥＳＳへ移行させ、ＮＥがＥＳＳへ遷移し得るトリガ条件を設定し得る。ＥＳＭ  ＩＲＰエージェントモジュール２５０は、ＥＳＭ  ＩＲＰマネージャモジュール２００に条件情報を提供し、特定のＮＥがＥＳＳに遷移するための命令を受信し得る。いくつかの無線通信システムにおいて、ＥＳＭ処理は、ＥＭレベル（例えば、１または複数のＥＭ装置の）に集中され得るか、またはＮＥ間に分散され得る。このようなシステムにおいては、ＥＳＭ  ＩＲＰマネージャモジュール２００は、ＮＥがＥＳＳへ遷移し得るトリガ条件を設定し得て、ＥＳＭ  ＩＲＰエージェントモジュール２５０はこれらのトリガ条件を用いてＮＥ内のＥＳＭ機能を制御し得る。
【００１８】
ＥＳＭ  ＩＲＰマネージャモジュール２００およびＥＳＭ  ＩＲＰエージェントモジュール２５０のさまざまなコンポーネントが、図２Ａおよび図２Ｂを参照してここで議論される。図２Ａおよび図２Ｂに例示されるコンポーネントは例であり、開示される実施形態に従って、任意の１または複数のコンポーネントが省略されてもよいし、または追加的なコンポーネントが含まれてもよい。いくつかの実施形態において、ただ１つのＮＥはＥＳＭ  ＩＲＰマネージャモジュール２００およびＥＳＭ  ＩＲＰエージェントモジュール２５０の両方の機能のうちの少なくともいくつかを含み、ＥＳＭ決定を自主的に行い得る。
【００１９】
図２Ａを参照すると、ＥＳＭ  ＩＲＰマネージャモジュール２００のコンポーネントの例が示される。ＥＳＭ  ＩＲＰマネージャモジュール２００は、トリガモジュール２０２を含み得る。トリガモジュール２０２は、第１のＲＡＴのソースセルがＥＳＳをアクティブ化すべくトリガされるという決定をするよう構成され得る。上で議論したように、ＥＳＳは、ソースセルのいくつかの機能がリソース使用量の制限を受ける状態であり得る。いくつかの実施形態において、ソースセルは、１または複数の動作条件（トリガポイントを構成する）を満たせばトリガされ得る。例えば、ソースセルは、ソースセルの負荷が負荷閾値を下に交差する場合か、隣接するセルの負荷が負荷閾値より下に留まる場合か、時刻が、ＥＳ技術の実装が可能である１時（例えば、夜の）である場合か、第１のＲＡＴが、ＥＳＭ  ＩＲＰマネージャモジュール２００によってモニタされる１または複数の他のＲＡＴよりも、ＥＳＭに対する優先権を与えられるかどうか、またはこれらの条件の任意の組み合わせで、トリガされ得る。いくつかの実施形態において、第１のＲＡＴのネットワークはＥ−ＵＴＲＡＮであり得る。いくつかの実施形態において、第１のＲＡＴのネットワークはＵＴＲＡＮであり得る。いくつかの実施形態において、トリガモジュール２０２は、ソースセル（例えば、ソースセルを扱うｅＮＢ）がインターＲＡＴ  ＥＳをサポートするかどうか（例えば、ソースセルが１または複数のインターＲＡＴ  ＥＳ機能を提供するモジュールを含むかどうか）を決定すべく構成され得る。この決定は、ソースセルがＥＳＳをアクティブ化すべくトリガされるかどうかの決定の前に、後に、または一部として生じ得る。
【００２０】
ＥＳＭ  ＩＲＰマネージャモジュール２００が、ＥＭ−レベルにおいて、ｅＮＢなどに、含まれるいくつかの実施形態において、トリガモジュール２０２は、ソースセル内の動作条件が、ソースセルがＥＳＳをアクティブ化すべきトリガポイントに、いつ達したかを決定すべく構成され得る。いくつかの実施形態において、ＥＳＭ  ＩＲＰマネージャモジュール２００はＮＭ−レベルにおいて含まれ得る。
【００２１】
ＥＳＭ  ＩＲＰマネージャモジュール２００はオーバーラップモジュール２０４を含み得る。オーバーラップモジュール２０４は、ソースセルが、第１のＲＡＴ（すなわち、ソースセルのＲＡＴ）とは異なる１または複数のＲＡＴの１または複数のネットワークの複数のセルのそれぞれによって部分的にオーバーラップされているかどうか決定すべく構成され得る。いくつかの実施形態において、第１のＲＡＴとは異なる１または複数のＲＡＴの１または複数のネットワークは、ＵＴＲＡＮおよび／またはＧＥＲＡＮを含み得る。例えば、ソースセルがＵＴＲＡＮセルおよび／またはＧＥＲＡＮセルに容量増大を供給するが、カバーはしない環境において、Ｅ−ＵＴＲＡＮソースセルは、ＵＴＲＡＮセルおよび／またはＧＥＲＡＮセルによってオーバーラップされ得る（例えば、図１の他のＲＡＴセルのセル１１０およびセル１１２に対する第１のＲＡＴセル１０２によって示されるように）。いくつかの実施形態において、Ｅ−ＵＴＲＡＮソースセルの第１の部分は、１つのＵＴＲＡＮセルまたはＧＥＲＡＮセルによってカバーされ得て、Ｅ−ＵＴＲＡＮソースセルの第２の部分は別のＵＴＲＡＮセルまたはＧＥＲＡＮセルによってカバーされ得て、Ｅ−ＵＴＲＡＮソースセルの第３の部分はＵＴＲＡＮセルおよびＧＥＲＡＮセルの両方によってカバーされ得る。
【００２２】
オーバーラップモジュール２０４はさらに、ソースセルを部分的にオーバーラップする複数のセルが、ソースセルのカバレッジを提供するかどうかを決定すべく構成され得る。カバレッジは、例えば、完全なカバレッジ、実質的に完全なカバレッジ、または十分なカバレッジであり得る。いくつかの実施形態において、オーバーラップモジュール２０４は、ソースセルに近接するターゲットセルのそれぞれに対する省エネルギーカバレッジ（ＥＳ−カバレッジ）属性の値を格納し得る。いくつかの実施形態において、ターゲットセルはソースセルに隣接する。ＥＳ−カバレッジ属性の値は、ソースセルがＥＳＳをアクティブ化する場合、ターゲットセルがソースセルのカバレッジを引き継ぐ候補セルと、なり得るかどうか、およびどのようにしてなり得るか、を示し得る。いくつかの実施形態において、ＥＳ−カバレッジ属性の値は一対のセルのそれぞれの間で定められ得る。
【００２３】
例えば、いくつかの実施形態において、ターゲットセル（ソースセルに対する）のＥＳ−カバレッジ属性は、３つの値、「はい」、「部分的」および「いいえ」のうちの１つを取り得る。「はい」の値は、ソースセルがまさにＥＳＳへ移行しようとするとき、ターゲットセルが、カバレッジを引き継ぐ候補セルとして考えられると推奨されることを示し得る。「部分的」の値は、ソースセルがまさにＥＳＳへ移行しようとするとき、ターゲットセルが少なくとも１つの他のターゲットセルとともに、カバレッジを引き継ぐ複数の候補セルの全体として考えられると推奨されることを示し得る。「いいえ」の値は、ソースセルがまさにＥＳＳへ移行しようとするとき、ターゲットセルが、カバレッジを引き継ぐ候補セルとして考えられると推奨されもせず、ソースセルがまさにＥＳＳへ移行しようとするとき、ターゲットセルがカバレッジを引き継ぐ複数の候補セルの全体として考えられると、少なくとも１つの他のターゲットセルとともに推奨されもしないことを示し得る。
【００２４】
このようなＥＳ−カバレッジ属性の一実装を示すべく、図１に例示されるセルに対する「ＩｓＥＳＣｏｖｅｒｅｄＢｙ」とラベルされる属性のリストを表１に提供する。表１中の斜体の項目は、インターＲＡＴ  ＥＳ−カバレッジ属性を示す（表１の目的として、一実施形態においては、セル１１０およびセル１１２は、ＵＴＲＡＮまたはＧＥＲＡＮなどの、同じＲＡＴの１または複数のネットワークであると考えられる）。
【表１】
0005901841.tif 000002
0005901841.tif 000003
図１のさまざまなソースセルおよびターゲットセルのＥＳ−カバレッジ属性  ＩｓＥＳＣｏｖｅｒｅｄＢｙの値
【００２５】
ＥＳ−カバレッジ属性を格納する技術を含む、ソースセルと近接するターゲットセルとの間のオーバーラップの関係についての情報を特定し格納すべく、オーバーラップモジュール２０４によって実行され得るいくつかの技術が、図４を参照して以下に記載される。
【００２６】
ＥＳＭ  ＩＲＰマネージャモジュール２００は命令モジュール２０６を含み得る。命令モジュール２０６はソースセルまたはＮＥに命令してＥＳＳをアクティブ化させるべく構成され得る。いくつかの実施形態において、十分なトリガ決定がトリガモジュール２０２によって成され、十分なオーバーラップ決定がオーバーラップモジュール２０４によって成された場合、命令モジュール２０６はこのような命令を与えるのみであり得る。いくつかの実施形態において、命令モジュール２０６はソースセルに命令してＥＳＳを非アクティブ化すべく構成され得る。ＥＳＳを非アクティブ化する命令は、例えば、ソースセルのトラフィックがオフロードされた他のＲＡＴセルのうちの１または複数のセルのトラフィック負荷に基づき得て（例えば、他のＲＡＴセルのうちの１つが、負荷過大になる場合）、または、他のＲＡＴセルのうちの１または複数のセルの動作ステータスに基づき得る（例えば、他のＲＡＴセルの１または複数が動作不良を経験する場合）。
【００２７】
ＥＳＭ  ＩＲＰマネージャモジュール２００は通知モジュール２０８を含み得る。通知モジュール２０８は、ソースセルがＥＳＳをアクティブ化した場合、表示するためにネットワークオペレータに (例えば、視覚的表示装置上に）、通知メッセージを送信すべく構成され得る。いくつかの実施形態において、通知モジュール２０８は、ソースセルに関係するｅＮＢまたは他のデバイスがＥＳＳをアクティブ化した場合、ＮＭ−レベルコンポーネントに通知すべく構成され得る。いくつかの実施形態において、通知モジュール２０８は、例えば、ソースセルのカバレッジを提供する複数の他のＲＡＴセルのアイデンティティを、ＮＭ−レベルのコンポーネントまたはＥＭ−レベルのコンポーネントに通知すべく構成され得る（例えば、図１において、セル１０２がＥＳＳに入る場合、セル１１０およびセル１１２のセル識別子を提供することによって）。通知モジュール２０８はＥＳ−機能関連の情報（ＮＥの負荷など）の所望の通知スケジュールを構成し、ＥＳＭ  ＩＲＰエージェントモジュール（ＥＳＭ  ＩＲＰエージェントモジュール２５０など）へ通知スケジュールを送信し得る。通知モジュール２０８は、ＥＳＭ  ＩＲＰエージェントモジュールから、このようなＥＳ−機能関連の情報を受信し得る（例えば、ＥＳＭ  ＩＲＰエージェントが担うネットワーク要素のＥＳＳのアクティブ化および非アクティブ化）。
【００２８】
図２Ｂを参照すると、ＥＳＭ  ＩＲＰエージェントモジュール２５０のコンポーネントの例が示される。ＥＳＭ  ＩＲＰエージェントモジュール２５０はエネルギー消費モジュール２５２を含み得る。いくつかの実施形態において、エネルギー消費モジュール２５２は、ＮＥのエネルギー消費量についての情報をＥＳＭ  ＩＲＰマネージャモジュール２００へ提供すべく構成され得る。いくつかの実施形態において、エネルギー消費モジュール２５２は、ＮＥ自身からエネルギー消費量についての情報を受信し、ＥＳＭ  ＩＲＰマネージャモジュール２００が、ＮＥからのこの情報にアクセスするのを助けるべく構成され得る。エネルギー消費量の情報は、ＥＳＳのアクティブ化および非アクティブ化に対する適切な閾値の決定、および例えば、いつこれらの閾値が満たされたかの決定に用いられ得る。
【００２９】
ＥＳＭ  ＩＲＰエージェントモジュール２５０は状態モジュール２５４を含み得る。いくつかの実施形態において、状態モジュール２５４は、ＥＳＭ  ＩＲＰエージェントモジュール２５０が担うＮＥの現在の状態についての情報をＥＳＭ  ＩＲＰマネージャ２００に提供すべく構成され得る。例示的状態は、ＥＳＳ、デフォルト（非ＥＳＳ）状態、補償状態（ＮＥが、自身のＥＳＳをアクティブ化した１または複数の他のＮＥを補う）、またはＥＳ機能のアクティブ化または非アクティブ化に関するいくつかの他の状態を含む。いくつかの実施形態において、状態モジュール２５４は状態情報をメモリに格納すべく構成され得る。
【００３０】
ＥＳＭ  ＩＲＰエージェントモジュール２５０は通知モジュール２５６を含み得る。いくつかの実施形態において、通知モジュール２５６は、ソースセルがＥＳＳをアクティブ化した場合、ＥＳＭ  ＩＲＰマネージャモジュール２００に通知を提供すべく構成され得る（例えば、通知をプッシュ、または通知の問い合わせに応答することによって）。通知モジュール２５６は、ＥＳＭ  ＩＲＰマネージャモジュール２００からのＥＳ−機能関連の情報の所望の通知スケジュールを受信し得る。通知モジュール２５６は、ＥＳＭ  ＩＲＰエージェントモジュール２５０が担うＮＥのＥＳＳのアクティブ化および非アクティブ化などの、ＥＳ−機能関連の情報を提供し得る。
【００３１】
図３を参照すると、さまざまな実施形態による、インターＲＡＴ  ＥＳＭのシステム３００の例のブロック図が示される。上で議論したように、ＥＳＭ  ＩＲＰマネージャモジュール（図２ＡのＥＳＭ  ＩＲＰマネージャモジュール２００など）及び／またはＥＳＭ  ＩＲＰエージェントモジュール（図２ＢのＥＳＭ  ＩＲＰエージェントモジュール２５０など）は、無線通信システム内のいくつかのレベルおよびコンポーネントの何れかにおいて実装され得る。ＥＳＭ  ＩＲＰマネージャモジュールおよびＥＳＭ  ＩＲＰエージェントモジュールの代表的な実装が、図３において示されるが、全ての実装は例に過ぎず、任意の１または複数の実装は、他のものが含まれ得る一方で、省略され得る。
【００３２】
システム３００は、Ｅ−ＵＴＲＡＮなどの１または複数のＲＡＴのネットワークをサポートすべく構成され得る。いくつかの実施形態において、システム３００によってサポートされるＲＡＴは、環境１００のセル１０２、セル１０４、セル１０６およびセル１０８の第１のＲＡＴ、および／またはセル１１０およびセル１１２（図１）のＲＡＴを含み得る。システム３００は、例えば、ＨＴＴＰを使用したマルチメディア配信、ＲＴＰを使用したライブストリーミング、従来型のサービス（例えば、ビデオ会議）、およびＴＶ放送などのいくつかのサービスのうちの何れかを配信すべく構成され得る。システム３００は、ネットワークインターフェースデバイスおよび周辺デバイス（例えば、ネットワークインターフェースカード（ＮＩＣ））などの他の無線パーソナルエリアネットワーク（ＷＰＡＮ）デバイス、無線ローカルエリアネットワーク（ＷＬＡＮ）デバイス、無線メトロポリタンエリアネットワーク（ＷＭＡＮ）デバイス、および／または無線広域ネットワーク（ＷＷＡＮ）デバイス、アクセスポイント（ＡＰ）、再分配ポイント、エンドポイント、ゲートウェイ、ブリッジ、ハブなどを含み得て、携帯電話システム、サテライトシステム、パーソナル通信システム（ＰＣＳ）、双方向無線システム、単方向ページャシステム、双方向ページャシステム、パーソナルコンピュータ（ＰＣ）システム、パーソナルデータアシスタント（ＰＤＡ）システム、パーソナルコンピューティングアクセサリ（ＰＣＡ）システム、および／または任意の他の適切な通信システムを実装する。
【００３３】
システム３００は、ＮＭ装置３０２を含み得る。いくつかの実施形態において、ＮＭ装置３０２は、システム３００のコンポーネントをモニタし、コンポーネントのパフォーマンスの測定およびコンポーネント間の関係を収集する。これらの測定および関係の分析を基に、ＮＭ装置３０２は、システム３００のコンポーネントの構成およびオペレーションにおける、起こり得る問題および改善を特定し、システム３００に変更を施し得る。
【００３４】
ＮＭ装置３０２は受信機／送信機モジュール３２２を含み得る。受信機／送信機モジュール３２２は、有線または無線接続によって、他のデバイスへ、および他のデバイスから、信号を受信および送信すべく構成され得る。例えば、受信機／送信機モジュール３２２は、ｅＮＢ（ｅＮＢ３０８など）の要素マネージャ（ＥＭ）コンポーネント、基地局（基地局３１０および３１２のうちの何れかなど）、ドメイン管理（ＤＭ）装置３０４（システム３００のドメインまたは他の部分に管理機能を提供し得て、それ自身がＥＳＭ  ＩＲＰマネージャモジュールおよび／またはＥＳＭ  ＩＲＰエージェントモジュールを含み得る、図示せず）、または任意の他の適宜構成されたデバイス、から信号を受信、または、へ信号を送信すべく構成され得る。いくつかの実施形態において、ＮＭ装置３０２は有線接続によってｅＮＢと通信する。いくつかの実施形態において、受信機／送信機モジュール３２２は別個の受信機回路および送信機回路を有し得る。受信機／送信機モジュール３２２が無線通信用に構成される複数の実施形態において、受信機／送信機モジュール３２２は、例えば、ダイポールアンテナ、モノポールアンテナ、パッチアンテナ、ループアンテナ、マイクロストリップアンテナ、および／または無線周波（ＲＦ）または他の無線通信信号の受信に適した、他のタイプのアンテナなどの、１または複数の指向性または無指向性アンテナ（図示せず）を含み得る。
【００３５】
ＮＭ装置３０２は、ＥＳＭ  ＩＲＰマネージャモジュール３２４を含み得る。ＥＳＭ  ＩＲＰマネージャモジュール３２４は、ＥＳＭ  ＩＲＰマネージャモジュール２００(図２Ａ)を参照して上述した形の何れかを取り得る。ＥＳＭ  ＩＲＰマネージャモジュール３２４は、受信機／送信機モジュール３２２と連結され得る。１または複数のプロセッサ、メモリ、入出力（Ｉ／Ｏ）コンポーネントおよびディスプレイなどの追加的なコンピューティングデバイスコンポーネントは、ＮＭ装置３０２に含まれ得る。更に、ＮＭ装置３０２の機能は、複数のコンピューティングデバイスにわたって分配され得る。
【００３６】
システム３００は、ｅＮＢ３０８などの１または複数のｅＮＢを含み得る。システム３００は、基地局３１０および３１２などの１または複数の基地局も含み得る。いくつかの実施形態において、基地局３１０および３１２のうちの１または複数がｅＮＢを含む。ｅＮＢ３０８および基地局３１０および３１２は、いくつかのコンポーネントを含み得るが、説明を容易にする目的で、ｅＮＢ３０８のコンポーネントのみが図３に示される。ｅＮＢ３０８以外のｅＮＢおよび基地局３１０および３１２は、同様なコンポーネントを有し得る。ｅＮＢ３０８のコンポーネントは、以下に詳細に議論するように、ｅＮＢの１または複数、および／または、セル１０２を含む図１のセルのうちの何れかを扱う基地局の中に含まれ得る。
【００３７】
図示されるように、ｅＮＢ３０８は受信機／送信機モジュール３２８を含み得る。受信機／送信機モジュール３２８は、有線または無線接続によって、他のデバイスから信号を受信、および他のデバイスへ信号を送信すべく構成され得る。例えば、受信機／送信機モジュール３２８は、ＵＥ３１４、ＮＭ装置３０２、または無線通信用に適宜構成される他のデバイスから無線信号を受信、および／または、受信機／送信機モジュール３２８は、ＵＥ３１４、ＮＭ装置３０２、または無線通信用に適宜構成される他のデバイスへ無線信号を送信すべく構成され得る。ｅＮＢ３０８が無線通信用に構成される複数の実施形態において、ＮＭ装置３０２の受信機／送信機モジュール３２８は、受信機／送信機３２２を参照して上で議論したように、例えば、１または複数の指向性または無指向性アンテナ（図示せず）を含み得る。
【００３８】
ｅＮＢ３０８はＥＳＭ  ＩＲＰエージェントモジュール３３２を含み得る。ＥＳＭ  ＩＲＰエージェントモジュール３３２はＥＳＭ  ＩＲＰエージェントモジュール２５０（図２Ｂ）を参照して上述した形のうちの何れかを取り得る。ＥＳＭ  ＩＲＰエージェントモジュール３３２は受信機／送信機モジュール３２８と連結され得る。１または複数のプロセッサ、メモリ、入出力（Ｉ／Ｏ）コンポーネントおよびディスプレイなどの追加的なコンピューティングデバイスコンポーネントがｅＮＢ３０８に含まれ得る。
【００３９】
システム３００は、ＵＥ３１４からＵＥ３２０などの１または複数のＵＥを含み得る。ＵＥ３１４からＵＥ３２０のうちの１または複数は、デスクトップコンピュータ、ラップトップコンピュータ、ハンドヘルドコンピュータ、タブレットコンピュータ、携帯電話、ページャ、オーディオおよび／またはビデオプレーヤ（例えば、ＭＰ３プレーヤまたはＤＶＤプレーヤ）、ゲームデバイス、ビデオカメラ、デジタルカメラ、ナビゲーションデバイス（例えば、ＧＰＳデバイス）、無線周辺機器（例えば、プリンタ、スキャナ、ヘッドセット、キーボード、マウスなど）、医療デバイス（例えば、心拍数モニタ、血圧モニタなど）、および／または他の適切な、固定型、携帯型または移動型の電子デバイスなどの、いくつかの無線電子デバイスのうちの何れかを含み得る。いくつかの実施形態において、ＵＥ３１４からＵＥ３２０のうちの１または複数は、ＰＤＡ、携帯電話、タブレットコンピュータまたはラップトップコンピュータなどの携帯無線デバイスであり得る。ＵＥ３１４からＵＥ３２０のそれぞれは、いくつかのコンポーネントを含み得るが、説明を容易にする目的で、ＵＥ３１４のコンポーネントのみが図３に示される。ＵＥ３１４以外のＵＥは、同様なコンポーネントを有し得る。
【００４０】
図示されるように、ＵＥ３１４は受信機／送信機モジュール３３４を含み得る。受信機／送信機モジュール３３４は、他のデバイスから無線信号を受信し、他のデバイスへ無線信号を送信すべく構成され得る。例えば、受信機／送信機モジュール３３４は、ｅＮＢ３０８または無線通信用に適宜構成される他のデバイスから無線信号を受信し、ｅＮＢ３０８または無線通信用に適宜構成される他のデバイスへ無線信号を送信すべく構成され得る。受信機／送信機モジュール３３４は、上で議論したように、例えば、１または複数の指向性または無指向性アンテナ（図示せず）を含み得る。１または複数のプロセッサ、メモリ、入出力（Ｉ／Ｏ）コンポーネントおよびディスプレイなどの追加的なコンピューティングデバイスコンポーネントが、ＵＥ３１４に含まれ得る。
【００４１】
図４を参照すると、さまざまな実施形態による、インターＲＡＴ  ＥＳＭ処理４００の例のフロー図が示される。処理４００は、例えば、ＥＳＭ  ＩＲＰマネージャモジュール２００（図２Ａ）または本明細書にて記載されるＥＳＭ  ＩＲＰマネージャモジュールのうちの何れかによって実行され得る。処理４００は、上述したＥＳＭ  ＩＲＰマネージャの機能またはＥＳＭ  ＩＲＰエージェントの機能のうちのいくつか、または全てを実装する無線通信システムの、いくつかの他のコンポーネントのうちの何れかによって実行され得る。例えば、処理４００は、ＮＭ装置３０２、ｅＮＢ３０８または基地局３１０（図３）によって実行され得る。処理４００の複数のオペレーション（および本明細書にて記載されるその他の処理）は、さまざまな実施形態において、特定の順序で配置され、それぞれ一回示されるが、この複数のオペレーションのうちの１または複数は、繰り返されても、省略されても、順序を違えて実行されてもよいことが理解されよう。説明の目的で、処理４００のオペレーションは、ＥＳＭ  ＩＲＰマネージャモジュール２００（図２Ａ）によって実行されるものとして記載され得るが、処理４００は任意の適宜構成されたデバイスによって実行されてもよい。
【００４２】
処理４００はオペレーション４０２から開始する。４０２において、ＥＳＭ  ＩＲＰマネージャモジュール２００は、インターＲＡＴ  ＥＳをサポートするソースセルを特定し得る。いくつかの実施形態において、オペレーション４０２は、ＥＳＭ  ＩＲＰエージェント２５０から受信した情報に基づき、トリガモジュール２０２（図２Ａ）によって実行され得る（例えば、ＥＳＭ  ＩＲＰエージェント２５０に関連付けられる１または複数のＮＥのトラフィック負荷は、閾値より小さい）。いくつかの実施形態において、ソースセルは、ＵＴＲＡＮまたはＥ−ＵＴＲＡＮである第１のＲＡＴのネットワークのセルであり得る。
【００４３】
オペレーション４０４において、ＥＳＭ  ＩＲＰマネージャモジュール２００はソースセル（オペレーション４０２において特定された）に近接するターゲットセルを特定し得るいくつかの実施形態において、ターゲットセルはソースセルに隣接し得る。いくつかの実施形態において、オペレーション４０４は、ＥＳＭ  ＩＲＰエージェント２５０から受信した情報に基づき、オーバーラップモジュール２０４（図２Ａ）によって実行され得る。いくつかの実施形態において、ターゲットセルは、第１のＲＡＴとは異なる第２のＲＡＴのネットワークのセルであり得る。例えば、いくつかの実施形態において、ターゲットセルは、ＵＴＲＡＮセル（例えば、周波数分割多重（ＦＤＤ）モードセル、低チップレート時分割多重（ＴＤＤ）モードセル、または高チップレートＴＤＤモードセル）であり得る。いくつかの実施形態において、ターゲットセルはＧＥＲＡＮセルであり得る。
【００４４】
オペレーション４０６において、ＥＳＭ  ＩＲＰマネージャモジュール２００は、ソースセルがまさにＥＳＳへ移行しようとするとき、ターゲットセル（オペレーション４０４において特定された）が、カバレッジを引き継ぐ候補セルとして考えられると推奨されるかどうか決定し得る。いくつかの実施形態において、オペレーション４０４は、ＥＳＭ  ＩＲＰエージェント２５０から受信した情報に基づき、オーバーラップモジュール２０４（図２Ａ）によって実行され得る。はいの場合、ＥＳＭ  ＩＲＰマネージャモジュール２００はオペレーション４０８へ進み、ターゲットセルに対応する省エネルギーカバレッジ（ＥＳ−カバレッジ）属性の第１の値（表１を参照して上で議論された「ＩｓＣｏｖｅｒｅｄＢｙ」属性など）を格納し得る。例えば、第１の値は「はい」であり得る。いくつかの実施形態において、第１の値はオーバーラップモジュール２０４がアクセス可能なメモリに格納され、ソースセルがＥＳＳをアクティブ化すべくトリガされる場合、第１の値は後にメモリから取り出され得る。いくつかの実施形態において、ＥＳ−カバレッジ属性は、無線ネットワーク関連のパラメータを含む情報オブジェクトクラス（ＩＯＣ）の一部であり得る。それから処理４００は終了し得る。
【００４５】
ソースセルがまさにＥＳＳへ移行しようとするとき、ターゲットセル（オペレーション４０４において特定された）が、カバレッジを引き継ぐ候補セルとして考えられると推奨されないと、ＥＳＭ  ＩＲＰマネージャモジュール２００がオペレーション４０６において決定する場合、ＥＳＭ  ＩＲＰマネージャモジュール２００はオペレーション４１０へ進み、ソースセルがまさにＥＳＳへ移行しようとするとき、ターゲットセルが、カバレッジを引き継ぐ複数の候補セルの全体として考えられると、少なくとも１つの他のターゲットセルとともに推奨されるかどうか決定し得る。いくつかの実施形態において、オペレーション４０４は、ＥＳＭ  ＩＲＰエージェント２５０から受信した情報に基づき、オーバーラップモジュール２０４(図２Ａ)によって実行され得る。はいの場合、ＥＳＭ  ＩＲＰマネージャモジュール２００はオペレーション４１２へ進み、第１の値（オペレーション４０８において格納された）とは異なる、ターゲットセルに対応するＥＳ−カバレッジ属性の第２の値（表１を参照して上で議論された「ＩｓＣｏｖｅｒｅｄＢｙ」属性など）を格納し得る。例えば、第２の値は、「部分的」であり得る。いくつかの実施形態において、ターゲットセルに「部分的」の属性を有するソースセルは、少なくとももう１つのターゲットセルに「部分的」の属性を有すであろう。それから処理４００は終了し得る。
【００４６】
ソースセルがまさにＥＳＳへ移行しようとするとき、ターゲットセルがカバレッジを引き継ぐ複数の候補セルの全体として考えられると、少なくとも１つの他のターゲットセルとともに推奨されないと、オペレーション４１０においてＥＳＭ  ＩＲＰマネージャモジュール２００が決定する場合、ＥＳＭ  ＩＲＰマネージャモジュール２００はオペレーション４１４へ進み、ソースセルがまさに省エネルギー状態へ移行しようとするとき、ターゲットセルが、カバレッジを引き継ぐ候補セルとして考えられると推奨されない場合、ターゲットセルに対応するＥＳ−カバレッジ属性の、第１の値および第２の値（それぞれ、オペレーション４０８および４１２の）とは異なる、第３の値（表１を参照して上で議論された「ＩｓＣｏｖｅｒｅｄＢｙ」属性など）を格納し得る。例えば、第３の値は「いいえ」であり得る。それから処理４００は終了し得る。
【００４７】
いくつかの実施形態において、複数のターゲットセルはオペレーション４０４において特定され得る。このような実施形態においては、オペレーション４０６からオペレーション４１２は、複数のターゲットセルの各々について繰り返され得る。これらのオペレーションは、いくつかの順序のうちの何れかで繰り返され得る（例えば、複数のターゲットセルの何れかに対して別のオペレーションを実行する前に、オペレーション４０６は、複数のターゲットセルの各々に対して実行されてもよいし、またはオペレーション４０６からオペレーション４１２が、１つのセルに対して実行され、それから次のセルに対して繰り返されてもよい、など）。
【００４８】
図５を参照すると、さまざまな実施形態による、ＵＥ（図３のＵＥ３１４など）によって実行可能なインターＲＡＴ  ＥＳＭ処理５００の例のフロー図が示される。処理５００は、例えば、ＥＳＭ  ＩＲＰマネージャモジュール２００（図２Ａ）または、本明細書中で記載されるＥＳＭ  ＩＲＰマネージャモジュールのうちの何れかによって実行され得る。処理５００は、上述したＥＳＭ  ＩＲＰマネージャの機能またはＥＳＭ  ＩＲＰエージェントの機能のうちのいくつかまたは全てを実装する無線通信システムの、いくつかの他のコンポーネントのうちの何れかによって実行され得る。例えば、処理５００はＮＭ装置３０２、ｅＮＢ３０８または基地局３１０（図３）によって実行され得る。説明の目的で、処理５００のオペレーションは、ＥＳＭ  ＩＲＰマネージャモジュール２００(図２Ａ)によって実行されるものとして記載され得るが、処理５００は任意の適宜構成されたデバイスによって実行されてもよい。
【００４９】
処理５００は、オペレーション５０２から開始する。５０２において、ＥＳＭ  ＩＲＰマネージャモジュール２００は、第１のＲＡＴのソースセルがＥＳＳをアクティブ化すべくトリガされるかどうか決定し得る。いくつかの実施形態において、オペレーション５０２はトリガモジュール２０２(図２Ａ)によって実行され得る。いくつかの実施形態において、第１のＲＡＴのネットワークはＥ−ＵＴＲＡＮであり得る。いくつかの実施形態において、第１のＲＡＴのネットワークはＵＴＲＡＮであり得る。ＥＳＳは、ソースセルのいくつかの機能がリソース使用量の制限を受ける状態であり得る。いくつかの実施形態において、オペレーション５０２は、いつソースセル内の動作条件が、ｅＮＢがＥＳＳをアクティブ化するトリガポイント（例えば、ソースセルの負荷閾値）に達したかを決定する段階を含み得る。いくつかの実施形態において、オペレーション５０２は、ソースセルに関連付けられるｅＮＢまたは他のＮＥがインターＲＡＴ  ＥＳをサポートすると決定する段階を含み得る。ＥＳＭ  ＩＲＰマネージャモジュール２００がオペレーション５０２において、「いいえ」と決定する場合、処理５００は終了する。
【００５０】
ＥＳＭ  ＩＲＰマネージャモジュール２００がオペレーション５０２において「はい」と決定する場合、ＥＳＭ  ＩＲＰマネージャモジュール２００はオペレーション５０４へ進み、ソースセルが、第１のＲＡＴとは異なる１または複数のＲＡＴの１または複数のネットワークの複数のセルのそれぞれによって部分的にオーバーラップされるかどうか決定し得る。いくつかの実施形態において、オペレーション５０４はオーバーラップモジュール２０４（図２Ａ）によって実行され得る。いくつかの実施形態において、オペレーション５０４は、図４の処理４００または別のＥＳ−カバレッジ属性の決定処理に従って、一式のＥＳ−カバレッジ属性（例えば、表１に示すような）を決定する段階を含み得る。いくつかの実施形態において、オペレーション５０４は格納された一式のＥＳ−カバレッジ属性にアクセスし、分析する段階を含み得る。いくつかの実施形態において、第１のＲＡＴのネットワークはＥ−ＵＴＲＡＮであり得る。いくつかの実施形態において、第１のＲＡＴとは異なる１または複数のＲＡＴの１または複数のネットワークは、ＵＴＲＡＮまたはＧＥＲＡＮのうちの１または複数を含み得る。いくつかの実施形態において、ソースセルは、ＵＴＲＡＮカバレッジホールまたはＧＥＲＡＮカバレッジホールに容量増大を供給し得るが、カバーはしない。ＥＳＭ  ＩＲＰマネージャモジュール２００がオペレーション５０４において「いいえ」と決定する場合、処理５００は終了する。
【００５１】
ＥＳＭ  ＩＲＰマネージャモジュール２００がオペレーション５０４において「はい」と決定する場合、ＥＳＭ  ＩＲＰマネージャモジュール２００はオペレーション５０６へ進み、複数のセルの組み合わせがソースセルのカバレッジを提供するかどうか決定し得る。いくつかの実施形態において、オペレーション５０６はオーバーラップモジュール２０４（図２Ａ）によって実行され得る。ＥＳＭ  ＩＲＰマネージャモジュール２００がオペレーション５０６において「いいえ」と決定する場合、処理５００は終了する。いくつかの実施形態において、ソースセルは複数のターゲットセル（例えば、図４のオペレーション４０８において、「はい」または他のＥＳ−カバレッジ属性の値で格納されたセル）によって完全に、または部分的にカバーされ得る。このような実施形態においては、ＥＳＳをアクティブ化する場合、ターゲットセルのうちの１または複数が選択されてソースセルを補う（例えば、ターゲットセルのトラフィック負荷に基づいて）。
【００５２】
ＥＳＭ  ＩＲＰマネージャモジュール２００がオペレーション５０６において「はい」と決定する場合、ＥＳＭ  ＩＲＰマネージャモジュール２００はオペレーション５０８へ進み、ソースセルに命令してＥＳＳをアクティブ化し得る。いくつかの実施形態において、オペレーション５０８は命令モジュール２０６（図２Ａ）によって実行され得る。サービスの中断を軽減すべく、ＥＳＳをアクティブ化する前にソースセルによって処理されたトラフィックは、オペレーション５０２および５０４において特定されたカバーするセルにハンドオーバーされ得る（例えば、カバーするセルの現在の負荷に従って）。
【００５３】
オペレーション５１０において、ＥＳＭ  ＩＲＰマネージャモジュール２００は、ソースセルがＥＳＳをアクティブ化した場合、表示するためにネットワークオペレータに (例えば、視覚的表示装置に）、通知メッセージを送信し得る。いくつかの実施形態において、オペレーション５１０は通知モジュール２０８（図２Ａ）によって実行され得る。例えば、それからＥＳＭ  ＩＲＰマネージャモジュール２００はｅＮＢ（図３のｅＮＢ３０８など）に含まれ、オペレーション５１０は、ｅＮＢがＥＳＳをアクティブ化した場合、ＮＭ装置に通知する段階を含み得る（オペレーション５０２毎にトリガポイントに達すること、およびオペレーション５０４および５０６毎に、複数のインターＲＡＴセルの組み合わせがソースセルのカバレッジを提供することに基づいて）。いくつかの実施形態において、オペレーション５１０の通知は、組み合わせによってソースセルのカバレッジを提供する複数のセルのアイデンティティを含み得る（例えば、複数のセルのセル識別子）。
【００５４】
オペレーション５１２において、ＥＳＭ  ＩＲＰマネージャモジュール２００は、複数のセルのうちの１または複数のセルのトラフィック負荷が閾値を超えるかどうかを決定し得る。いくつかの実施形態において、オペレーション５１２はトリガモジュール２０２および命令モジュール２０６（図２Ａ）のうちの１または複数によって実行され得る。ＥＳＭ  ＩＲＰマネージャモジュール２００がオペレーション５１２において「いいえ」と決定する場合、処理５００は終了し得る。
【００５５】
ＥＳＭ  ＩＲＰマネージャモジュール２００がオペレーション５１２において「はい」と決定する場合、ＥＳＭ  ＩＲＰマネージャモジュール２００はオペレーション５１４へ進み、複数のセルが妥協した動作ステータスにあるかどうか決定し得る（例えば、セルのうちの何れかがオーバーロードした、または失敗したかどうか）。いくつかの実施形態において、オペレーション５１４はトリガモジュール２０２および命令モジュール２０６（図２Ａ）のうちの１または複数によって実行され得る。ＥＳＭ  ＩＲＰマネージャモジュール２００がオペレーション５１４において「いいえ」と決定する場合、処理５００は終了し得る。
【００５６】
ＥＳＭ  ＩＲＰマネージャモジュール２００がオペレーション５１４において「はい」と決定する場合、ＥＳＭ  ＩＲＰマネージャモジュール２００はオペレーション５１６へ進み、ソースセルに命令してＥＳＳを非アクティブ化すし得る。いくつかの実施形態において、オペレーション５１６は、命令モジュール２０６（図２Ａ）によって実行され得る。それから処理５００は終了し得る。
【００５７】
図６に、コンピューティングデバイス６００の例のブロック図を示す。コンピューティングデバイス６００はさまざまな開示された実施形態の実行に適していると言える。例えば、コンピューティングデバイス６００のコンポーネントのうちのいくつか、または全ては図３のシステム３００のコンポーネントの何れかにおいて使用され得る。コンピューティングデバイス６００は、１または複数のプロセッサ６０４および少なくとも１つの通信チップ６０６を含む、いくつかのコンポーネントを含み得る。さまざまな実施形態において、プロセッサ６０４はプロセッサコアを含み得る。さまざまな実施形態において、少なくとも１つの通信チップ６０６は、プロセッサ６０４に物理的におよび電気的に結合されもし得る。さらなる実装においては、通信チップ６０６はプロセッサ６０４の一部であってもよい。さまざまな実施形態において、コンピューティングデバイス６００はＰＣＢ６０２を含み得る。これらの実施形態のために、プロセッサ６０４および通信チップ６０６はＰＣＢ６０２上に配置され得る。代替となる実施形態においては、さまざまなコンポーネントがＰＣＢ６０２を用いずに連結され得る。通信チップ６０６は、本明細書にて記載される受信機モジュールおよび／または送信機モジュールのうちの何れかに含まれ得る。
【００５８】
用途に応じて、コンピューティングデバイス６００はＰＣＢ６０２に物理的に、および電気的に結合され得る、またはされ得ない他のコンポーネントを含み得る。これらの他のコンポーネントは、限定はされないが、揮発性メモリ（例えば、ＤＲＡＭとも呼ばれるダイナミックランダムアクセスメモリ６０８）、不揮発性メモリ（例えば、「ＲＯＭ」とも呼ばれるリードオンリメモリ６１０、１または複数のハードディスクドライブ、１または複数のソリッドステートドライブ、１または複数のコンパクトディスクドライブ、および／または、１または複数のデジタルバーサタイルディスクドライブ）、フラッシュメモリ６１２、入出力コントローラ６１４、デジタル信号プロセッサ（図示せず）、暗号プロセッサ（図示せず）、グラフィックスプロセッサ６１６、１または複数のアンテナ６１８、タッチスクリーンディスプレイ６２０、タッチスクリーンコントローラ６２２、他の視覚的表示装置（液晶ディスプレイ、陰極線管ディスプレイ、および電子インクディスプレイなど、図示せず）、バッテリ６２４、オーディオコーデック（図示せず）、ビデオコーデック（図示せず）、全地球測位システム（ＧＰＳ）デバイス６２８、コンパス６３０、加速度計（図示せず）、ジャイロスコープ（図示せず）、スピーカ６３２、カメラ６３４、および大容量ストレージデバイス（ハードディスクドライブ、ソリッドステートドライブ、コンパクトディスク（ＣＤ）、デジタルバーサタイルディスク（ＤＶＤ））（図示せず）などを含む。 さまざまな実施形態において、プロセッサ６０４は他のコンポーネントとともに同一ダイ上に統合され得てシステムオンチップ（ＳｏＣ）を形成する。
【００５９】
さまざまな実施形態において、揮発性メモリ（例えば、ＤＲＡＭ６０８）、不揮発性メモリ（例えば、ＲＯＭ６１０）、フラッシュメモリ６１２、および大容量ストレージデバイスは、プロセッサ６０４による実行に応答して、コンピューティングデバイス６００が本明細書にて記載される処理うちの全ての態様または選択された態様を実行可能にすべく構成されるプログラミング命令を含み得る。例えば、揮発性メモリ（例えば、ＤＲＡＭ６０８）、不揮発性メモリ（例えば、ＲＯＭ６１０）、フラッシュメモリ６１２、および大容量ストレージデバイスなどのメモリコンポーネントの１または複数は、実行されると、コンピューティングデバイス６００が、本明細書にて記載される処理のうちの全ての態様または選択された態様を実行すべく構成される制御モジュール６３６を操作可能にする命令の、一時的および／または永続的なコピーを含み得る。コンピューティングデバイス６００にアクセス可能なメモリは、コンピューティングデバイス６００が取り付けられるデバイスの物理的に一部である１または複数のストレージリソース、および／または、コンピューティングデバイス６００がアクセス可能だが、コンピューティングデバイス６００の一部である必要はない、１または複数のストレージリソースを含み得る。例えば、ストレージリソースは、通信チップ６０６によってネットワークを介して、コンピューティングデバイス６００によりアクセスされ得る。
【００６０】
通信チップ６０６は、有線通信および／または無線通信を可能にし得てコンピューティングデバイス６００との間でデータのやり取りをする。「無線」という用語およびその派生語は、非固体媒体を介して変調された電磁放射を用いてデータをやり取りし得る回路、デバイス、システム、方法、技術、通信チャネルなどの説明に用いられ得る。この用語は、関連するデバイスがワイヤを一本も含まないと暗示しているのではない。しかし、いくつかの実施形態においては含み得ない。本明細書にて記載される実施形態の多くは、ＷｉＦｉおよび３ＧＰＰ／ＬＴＥ通信システムと共に用いられ得る。しかしながら、通信チップ６０６は、限定はされないが、ＩＥＥＥ７０２．２０、汎用パケット無線サービス（ＧＰＲＳ）、エボリューションデータオプティマイズド（Ｅｖ−ＤＯ）、次世代高速パケットアクセス（ＨＳＰＡ＋）、次世代高速ダウンリンクパケットアクセス（ＨＳＤＰＡ＋）、次世代高速アップリンクパケットアクセス（ＨＳＵＰＡ＋）、汎欧州デジタル移動電話方式（ＧＳＭ（登録商標））、ＧＳＭ（登録商標）革新のための強化データレート（ＥＤＧＥ）、符号分割多重アクセス（ＣＤＭＡ）、時分割多重アクセス（ＴＤＭＡ）、デジタル携帯電話方式（ＤＥＣＴ）、Ｂｌｕｅｔｏｏｔｈ（登録商標）、これらの派生をはじめとするいくつかの無線規格または無線プロトコルのうちの何れか、および３Ｇ、４Ｇ、５Ｇおよび以降の世代として指定される任意の他の無線プロトコルも実装し得る。コンピューティングデバイス６００は複数の通信チップ６０６を含み得る。例えば、第１の通信チップ６０６は、Ｗｉ−ＦｉおよびＢｌｕｅｔｏｏｔｈ（登録商標）などのより短い距離での無線通信専用であってよく、第２の通信チップ６０６は、ＧＰＳ、ＥＤＧＥ、ＧＰＲＳ、ＣＤＭＡ、ＷｉＭＡＸ、ＬＴＥ、Ｅｖ−ＤＯ、その他などのより長い距離の無線通信専用であってよい。
【００６１】
さまざまな実装において、コンピューティングデバイス６００は、ラップトップ、ネットブック、ノートブック、ウルトラブック、スマートフォン、コンピューティングタブレット、携帯情報端末、ウルトラモバイルＰＣ、携帯電話、デスクトップコンピュータ、サーバ、プリンタ、スキャナ、モニタ、セットトップボックス、エンターテイメント制御装置（例えば、ゲームコンソール）、デジタルカメラ、携帯音楽プレーヤ、またはデジタルビデオレコーダであってよい。さらなる実装においては、コンピューティングデバイス６００は、データを処理する任意の他の電子デバイスであってよい。
【００６２】
上述した技術を実行するコンピュータ可読媒体（持続性コンピュータ可読媒体および／または実体のあるコンピュータ可読媒体を含む）、方法、システムおよびデバイスは、本明細書に開示される実施形態を説明する例である。更に、他のデバイスが、さまざまな開示された技術を実行すべく構成され得る。
【００６３】
以下の段落ではさまざまな実施形態の例を記載する。さまざまな実施形態において、１または複数の持続性コンピュータ可読媒体は、実行されると管理装置のＩＲＰマネージャモジュールに、インターＲＡＴ省エネルギーをサポートする、ＵＴＲＡＮまたはＥ−ＵＴＲＡＮである第１のＲＡＴのネットワークのソースセルを特定させ、ソースセルに近接する、第１のＲＡＴとは異なる第２のＲＡＴのネットワークのターゲットセルを特定させ、ソースセルがまさに省エネルギー状態へ移行しようとするとき、ターゲットセルが、カバレッジを引き継ぐ候補セルとして考えられると推奨される場合、ターゲットセルに対応する省エネルギーカバレッジ属性の第１の値を格納させ、ソースセルがまさに省エネルギー状態へ移行しようとするとき、ターゲットセルが、カバレッジを引き継ぐ複数の候補セルの全体として考えられると、少なくとも１つの他のターゲットセルとともに推奨される場合、ターゲットセルに対応する省エネルギーカバレッジ属性の、第１の値とは異なる、第２の値を格納させる命令を有す。いくつかの実施形態において、管理装置はネットワーク管理（ＮＭ）装置である。いくつかの実施形態において、ターゲットセルはＵＴＲＡＮセルである。いくつかの実施形態において、ＵＴＲＡＮセルは、ＦＤＤモードセル、低チップレートＴＤＤモードセル、または高チップレートＴＤＤモードセルである。いくつかの実施形態において、ターゲットセルはＧＥＲＡＮセルである。いくつかの実施形態において、第１の値は、はい、であり、第２の値は、部分的、である。いくつかの実施形態において、１または複数の持続性コンピュータ可読媒体は、実行されるとＩＲＰマネージャモジュールに、ターゲットセルが、ソースセルがまさに省エネルギー状態へ移行しようとするとき、カバレッジを引き継ぐ候補セルとして考えられると推奨されもせず、ソースセルがまさに省エネルギー状態へ移行しようとするとき、カバレッジを引き継ぐ複数の候補セルの全体として考えられると、少なくとも１つの他のターゲットセルとともに推奨されもしない場合、ターゲットセルに対応する省エネルギーカバレッジ属性の、第１の値および第２の値とは異なる、第３の値を格納させる命令をさらに含む。いくつかの実施形態において、省エネルギーカバレッジ属性は、無線ネットワーク関連のパラメータを含む情報オブジェクトクラスの一部である。１または複数のコンピュータ可読媒体のいくつかの実施形態は、前述した実施形態のさまざまな組み合わせを含む。
【００６４】
さまざまな実施形態において、ＮＭ装置は、第１のＲＡＴのネットワークのソースセルが省エネルギー状態をアクティブ化すべくトリガされると決定するトリガモジュールと、ソースセルが、第１のＲＡＴとは異なる１または複数のＲＡＴの１または複数のネットワークの複数のセルのそれぞれによって部分的にオーバーラップされると決定するオーバーラップモジュールと、複数のセルの組み合わせがソースセルのカバレッジを提供する場合、ソースセルに命令して省エネルギー状態をアクティブ化させる命令モジュールと、を含む。いくつかの実施形態において、第１のＲＡＴのネットワークはＥ−ＵＴＲＡＮである。いくつかの実施形態において、第１のＲＡＴとは異なる１または複数のＲＡＴの１または複数のネットワークは、ＵＴＲＡＮまたはＧＥＲＡＮのうちの１または複数を含む。いくつかの実施形態において、ソースセルはＵＴＲＡＮカバレッジホールまたはＧＥＲＡＮカバレッジホールに容量増大を提供するが、カバーはしない。いくつかの実施形態において、命令モジュールはさらに、ソースセルに命令して省エネルギー状態をアクティブ化させた後、ソースセル命令して省エネルギー状態を非アクティブ化させる。いくつかの実施形態において、命令モジュールは、複数のセルのうちの１または複数のセルのトラフィック負荷に基づき、または複数のセルのうちの１または複数のセルの動作ステータスに基づき、ソースセルに命令して省エネルギー状態を非アクティブ化させる。いくつかの実施形態において、複数のセルは第１のセルおよび第２のセルを含み、ソースセルの第１の部分は第１のセルによってカバーされ第２のセルではカバーされず、ソースセルの第２の部分は第２のセルによってカバーされ第１のセルではカバーされず、ソースセルの第３の部分は第１のセルおよび第２のセルによってカバーされる。いくつかの実施形態において、ＮＭ装置は、ソースセルが省エネルギー状態をアクティブ化した場合、表示するためにネットワークオペレータに通知メッセージを送信する通知モジュールをさらに含む。いくつかの実施形態において、ＮＭ装置は、通知モジュールによって送信された通知メッセージを表示する視覚的表示装置をさらに含む。いくつかの実施形態において、省エネルギー状態は、ソースセルのいくつかの機能がリソース使用量の制限を受ける状態を含む。ＮＭ装置のいくつかの実施形態は、前述した実施形態のさまざまな組み合わせを含む。
【００６５】
さまざまな実施形態において、第１のＲＡＴのネットワークのソースセルを扱うｅＮＢは、いつソースセル内の動作条件が、ｅＮＢが省エネルギー状態をアクティブ化するトリガポイントに達したかを決定するトリガモジュールと、ソースセルが、第１のＲＡＴとは異なる１または複数のＲＡＴの１または複数のネットワークの複数のセルのそれぞれによって部分的にオーバーラップされると決定するオーバーラップモジュールと、トリガポイントに達すること、および複数のセルの組み合わせがソースセルのカバレッジを提供することに基づき省エネルギー状態に入るｅＮＢが、省エネルギー状態をアクティブ化した場合、ＮＭ装置に通知する通知モジュールと、を含む。いくつかの実施形態において、ｅＮＢは、トリガポイントに達して、複数のセルの組み合わせがソースセルのカバレッジを提供する場合、ｅＮＢに命令して省エネルギー状態をアクティブ化させる命令モジュールをさらに含む。いくつかの実施形態において、命令モジュールはさらに、ｅＮＢに命令して省エネルギー状態を非アクティブ化させる。いくつかの実施形態において、命令モジュールによるｅＮＢの命令の前に、トリガモジュールはさらに、ｅＮＢがインターＲＡＴ省エネルギーをサポートすると決定する。いくつかの実施形態において、トリガポイントは負荷閾値交差値を含む。いくつかの実施形態において、第１のＲＡＴのネットワークは、ＵＴＲＡＮまたはＥ−ＵＴＲＡＮを含む。いくつかの実施形態において、第１のＲＡＴのネットワークはＥ−ＵＴＲＡＮを含み、第１のＲＡＴとは異なる１または複数のＲＡＴの１または複数のネットワークはＵＴＲＡＮまたはＧＥＲＡＮを含む。いくつかの実施形態において、通知モジュールはさらに、組み合わせによってソースセルのカバレッジを提供する複数のセルの識別子をＮＭ装置に通知する。いくつかの実施形態において、複数のセルはソースセルの完全なカバレッジを提供する。ｅＮＢのいくつかの実施形態は、前述した実施形態のさまざまな組み合わせを含む。
【００６６】
説明の目的で、特定の実施形態が本明細書にて示され説明されてきたが、同じ目的を達成することを意図する多様な、代替となる、および／または等価な実施形態または実装が、本開示の範囲を逸脱することなく、示され説明された複数の実施形態の代用となり得る。本願は本明細書にて議論された実施形態の、如何なる応用形態および変形形態をも網羅することが意図される。故に、本明細書に記載の実施形態は、特許請求の範囲によってのみ限定されることが明確に意図される。
【００６７】
本開示は、「１つの（ａ）」要素または「第１の（ａ  ｆｉｒｓｔ）」要素またはこれらと等価なものを列挙するが、このような開示は、１または複数のそのような要素を含むのであって、２つ以上のそのような要素を必要とするものでも、排除するものでもない。さらに、識別される要素に対する序数標識（例えば、第１、第２または第３）は、要素同士を区別すべく用いられるのであり、このような要素の必要な、または限定される数を示す、または暗示するものではなく、別途具体的に述べられない限り、このような要素の特定の位置または順序を示すものでもない。
（項目１）
管理装置の統合参照ポイントマネージャモジュール（ＩＲＰマネージャモジュール）に、
インターＲＡＴ（無線アクセス技術）省エネルギーをサポートするソースセルを特定させ、
上記ソースセルに近接するターゲットセルを特定させ、
上記ソースセルがまさに省エネルギー状態へ移行しようとするとき、上記ターゲットセルが、カバレッジを引き継ぐ候補セルとして考えられると推奨される場合、上記ターゲットセルに対応する省エネルギーカバレッジ属性の第１の値を格納させ、
上記ソースセルがまさに上記省エネルギー状態へ移行しようとするとき、上記ターゲットセルが、カバレッジを引き継ぐ複数の候補セルの全体として考えられると、少なくとも１つの他のターゲットセルとともに推奨される場合、上記ターゲットセルに対応する上記省エネルギーカバレッジ属性の、上記第１の値とは異なる、第２の値を格納させ、
上記ソースセルは、ユニバーサル移動通信システム地上波無線アクセスネットワーク（ＵＴＲＡＮ）または進化型地上無線アクセスネットワーク（Ｅ−ＵＴＲＡＮ）である第１のＲＡＴのネットワークのセルであり、
上記ターゲットセルは、上記第１のＲＡＴとは異なる第２のＲＡＴのネットワークのセルである
プログラム。
（項目２）
上記管理装置はネットワーク管理（ＮＭ）装置である
請求項１に記載のプログラム。
（項目３）
上記ターゲットセルはＵＴＲＡＮセルである
請求項１に記載のプログラム。
（項目４）
上記ＵＴＲＡＮセルは、周波数分割多重（ＦＤＤ）モードセル、低チップレート時分割多重（ＴＤＤ）モードセル、または高チップレートＴＤＤモードセルである
請求項３に記載のプログラム。
（項目５）
上記ターゲットセルは、ＧＳＭ（登録商標）／ＥＤＧＥ無線アクセスネットワーク（ＧＥＲＡＮ）セルである
請求項１に記載のプログラム。
（項目６）
上記第１の値は、はい、であり、上記第２の値は、部分的、である
請求項１に記載のプログラム。
（項目７）
上記省エネルギーカバレッジ属性は、無線ネットワーク関連のパラメータを含む情報オブジェクトクラスの一部である
請求項１に記載のプログラム。
（項目８）
上記ＩＲＰマネージャモジュールにさらに、
上記ターゲットセルが、上記ソースセルがまさに省エネルギー状態へ移行しようとするとき、カバレッジを引き継ぐ候補セルとして考えられると推奨されもせず、上記ソースセルがまさに上記省エネルギー状態へ移行しようとするとき、カバレッジを引き継ぐ複数の候補セルの全体として考えられると、少なくとも１つの他のターゲットセルとともに推奨されもしない場合、上記ターゲットセルに対応する上記省エネルギーカバレッジ属性の、上記第１の値および上記第２の値とは異なる、第３の値を格納させる
請求項１から７の何れか一項に記載のプログラム。
（項目９）
第１の無線アクセス技術（第１のＲＡＴ）のネットワークのソースセルが省エネルギー状態をアクティブ化すべくトリガされると決定するトリガモジュールと、
上記ソースセルが、上記第１のＲＡＴとは異なる１または複数のＲＡＴの１または複数のネットワークの複数のセルのそれぞれによって部分的にオーバーラップされると決定するオーバーラップモジュールと、
上記複数のセルの組み合わせが上記ソースセルのカバレッジを提供する場合、上記ソースセルに命令して上記省エネルギー状態をアクティブ化させる命令モジュールと、を備える
ネットワーク管理装置（ＮＭ装置）。
（項目１０）
上記第１のＲＡＴの上記ネットワークは、進化型地上無線アクセスネットワーク（Ｅ−ＵＴＲＡＮ）である
請求項９に記載のＮＭ装置。
（項目１１）
上記第１のＲＡＴとは異なる１または複数のＲＡＴの上記１または複数のネットワークは、ユニバーサル移動通信システム地上波無線アクセスネットワーク（ＵＴＲＡＮ）またはＧＳＭ（登録商標）／ＥＤＧＥ無線アクセスネットワーク（ＧＥＲＡＮ）のうちの１または複数を備える
請求項１０に記載のＮＭ装置。
（項目１２）
上記命令モジュールはさらに、上記ソースセルに命令して上記省エネルギー状態をアクティブ化させた後、上記ソースセルに命令して上記省エネルギー状態を非アクティブ化させる
請求項９に記載のＮＭ装置。
（項目１３）
上記命令モジュールは、上記複数のセルのうちの１または複数のセルのトラフィック負荷に基づき、または上記複数のセルのうちの１または複数のセルの動作ステータスに基づき、上記ソースセルに命令して上記省エネルギー状態を非アクティブ化させる
請求項１２に記載のＮＭ装置。
（項目１４）
上記複数のセルは、第１のセルおよび第２のセルを備え、上記ソースセルの第１の部分は、上記第１のセルによってカバーされ上記第２のセルではカバーされず、上記ソースセルの第２の部分は、上記第２のセルによってカバーされ上記第１のセルではカバーされず、上記ソースセルの第３の部分は上記第１のセルおよび上記第２のセルによってカバーされる
請求項９に記載のＮＭ装置。
（項目１５）
上記ソースセルが上記省エネルギー状態をアクティブ化した場合、表示するためにネットワークオペレータに通知メッセージを送信する通知モジュールをさらに備える
請求項９に記載のＮＭ装置。
（項目１６）
上記通知モジュールによって送信された上記通知メッセージを表示する視覚的表示装置をさらに備える
請求項１５に記載のＮＭ装置。
（項目１７）
上記省エネルギー状態は、上記ソースセルのいくつかの機能がリソース使用量の制限を受ける状態を備える
請求項９に記載のＮＭ装置。
（項目１８）
上記ソースセルは、ユニバーサル移動通信システム地上波無線アクセスネットワーク（ＵＴＲＡＮ）カバレッジホールまたはＧＳＭ（登録商標）／ＥＤＧＥ無線アクセスネットワーク（ＧＥＲＡＮ）カバレッジホールに容量増大を提供するが、カバーはしない
請求項９から１７の何れか一項に記載のＮＭ装置。
（項目１９）
第１の無線アクセス技術（第１のＲＡＴ）のネットワークのソースセルを扱うｅＮＢ（ｅｖｏｌｖｅｄ  ｎｏｄｅＢ）であって、
上記ソースセル内の動作条件が、上記ｅＮＢが省エネルギー状態をアクティブ化するトリガポイントにいつ達したかを決定するトリガモジュールと、
上記ソースセルが、上記第１のＲＡＴとは異なる１または複数のＲＡＴの１または複数のネットワークの複数のセルのそれぞれによって部分的にオーバーラップされると決定するオーバーラップモジュールと、
上記ｅＮＢが上記省エネルギー状態をアクティブ化した場合、ネットワーク管理装置（ＮＭ装置）に通知する通知モジュールと、を備え、
上記ｅＮＢは、上記トリガポイントに達して、上記複数のセルの組み合わせが上記ソースセルのカバレッジを提供することに基づき、上記省エネルギー状態に入る
ｅＮＢ。
（項目２０）
上記トリガポイントに達して、上記複数のセルの組み合わせが上記ソースセルのカバレッジを提供する場合、上記ｅＮＢに命令して上記省エネルギー状態をアクティブ化させる命令モジュールをさらに備える
請求項１９に記載のｅＮＢ。
（項目２１）
上記命令モジュールはさらに、上記ｅＮＢに命令して上記省エネルギー状態を非アクティブ化させる
請求項２０に記載のｅＮＢ。
（項目２２）
上記トリガモジュールはさらに、上記命令モジュールによる上記ｅＮＢの命令の前に、上記ｅＮＢがインターＲＡＴ省エネルギーをサポートすると決定する
請求項２０に記載のｅＮＢ。
（項目２３）
上記トリガポイントは負荷閾値交差値を備える
請求項１９に記載のｅＮＢ。
（項目２４）
上記第１のＲＡＴの上記ネットワークは、ユニバーサル移動通信システム地上波無線アクセスネットワーク（ＵＴＲＡＮ）または進化型地上無線アクセスネットワーク（Ｅ−ＵＴＲＡＮ）を備える
請求項１９に記載のｅＮＢ。
（項目２５）
上記第１のＲＡＴの上記ネットワークは進化型地上無線アクセスネットワーク（Ｅ−ＵＴＲＡＮ）を備え、上記第１のＲＡＴとは異なる上記１または複数のＲＡＴの上記１または複数のネットワークは、ユニバーサル移動通信システム地上波無線アクセスネットワーク（ＵＴＲＡＮ）またはＧＳＭ（登録商標）／ＥＤＧＥ無線アクセスネットワーク（ＧＥＲＡＮ）を備える
請求項１９に記載のｅＮＢ。
（項目２６）
上記複数のセルは上記ソースセルの完全なカバレッジを提供する
請求項１９に記載のｅＮＢ。
（項目２７）
上記通知モジュールはさらに、組み合わせによって上記ソースセルのカバレッジを提供する上記複数のセルの複数の識別子を上記ＮＭ装置に通知する
請求項１９から２６の何れか一項に記載のｅＮＢ。
（項目２８）
管理装置の統合参照ポイントマネージャモジュール（ＩＲＰマネージャモジュール）によって実行される省エネルギーカバレッジ属性の値を格納する方法であって、
インターＲＡＴ（無線アクセス技術）省エネルギーをサポートするソースセルを特定する段階と、
上記ソースセルに近接するターゲットセルを特定する段階と、
上記ソースセルがまさに省エネルギー状態へ移行しようとするとき、上記ターゲットセルが、カバレッジを引き継ぐ候補セルとして考えられると推奨される場合、上記ターゲットセルに対応する省エネルギーカバレッジ属性の第１の値を格納する段階と、
上記ソースセルがまさに上記省エネルギー状態へ移行しようとするとき、上記ターゲットセルが、カバレッジを引き継ぐ複数の候補セルの全体として考えられると、少なくとも１つの他のターゲットセルとともに推奨される場合、上記ターゲットセルに対応する上記省エネルギーカバレッジ属性の、上記第１の値とは異なる、第２の値を格納する段階と、を備え、
上記ソースセルは、ユニバーサル移動通信システム地上波無線アクセスネットワーク（ＵＴＲＡＮ）または進化型地上無線アクセスネットワーク（Ｅ−ＵＴＲＡＮ）である第１のＲＡＴのネットワークのセルであり、
上記ターゲットセルは、上記第１のＲＡＴとは異なる第２のＲＡＴのネットワークのセルである
方法。
（項目２９）
上記管理装置はネットワーク管理装置（ＮＭ装置）である
請求項２８に記載の方法。
（項目３０）
上記ターゲットセルはＵＴＲＡＮセルであり、または上記ターゲットセルはＧＳＭ（登録商標）／ＥＤＧＥ無線アクセスネットワーク（ＧＥＲＡＮ）セルである
請求項２８に記載の方法。
（項目３１）
上記ターゲットセルが、上記ソースセルがまさに省エネルギー状態へ移行しようとするとき、カバレッジを引き継ぐ候補セルとして考えられると推奨されもせず、上記ソースセルがまさに上記省エネルギー状態へ移行しようとするとき、カバレッジを引き継ぐ複数の候補セルの全体として考えられると、少なくとも１つの他のターゲットセルとともに推奨されもしない場合、上記ターゲットセルに対応する上記省エネルギーカバレッジ属性の、上記第１の値および上記第２の値とは異なる、第３の値を格納する段階をさらに備える
請求項２８から３０の何れか一項に記載の方法。
（項目３２）
管理装置の統合参照ポイントマネージャモジュール（ＩＲＰネージャモジュール）であって、
インターＲＡＴ（無線アクセス技術）省エネルギーをサポートするソースセルを特定する手段と、
上記ソースセルに近接するターゲットセルを特定する手段と、
上記ソースセルがまさに省エネルギー状態へ移行しようとするとき、上記ターゲットセルが、カバレッジを引き継ぐ候補セルとして考えられると推奨される場合、上記ターゲットセルに対応する省エネルギーカバレッジ属性の第１の値を格納する手段と、
上記ソースセルがまさに上記省エネルギー状態へ移行しようとするとき、上記ターゲットセルが、カバレッジを引き継ぐ複数の候補セルの全体として考えられると、少なくとも１つの他のターゲットセルとともに推奨される場合、上記ターゲットセルに対応する上記省エネルギーカバレッジ属性の、上記第１の値とは異なる、第２の値を格納する手段と、を備え、
上記ソースセルはユニバーサル移動通信システム地上波無線アクセスネットワーク（ＵＴＲＡＮ）または進化型地上無線アクセスネットワーク（Ｅ−ＵＴＲＡＮ）である第１のＲＡＴのネットワークのセルであり、
上記ターゲットセルは、上記第１のＲＡＴとは異なる第２のＲＡＴのネットワークのセルである
統合参照ポイントマネージャモジュール（ＩＲＰネージャモジュール）。
（項目３３）
上記管理装置はネットワーク管理装置（ＮＭ装置）である
請求項３２に記載のＩＲＰマネージャモジュール。
（項目３４）
上記ターゲットセルはＵＴＲＡＮセルである
請求項３２に記載のＩＲＰマネージャモジュール。
（項目３５）
上記ＵＴＲＡＮセルは、周波数分割多重（ＦＤＤ）モードセル、低チップレート時分割多重（ＴＤＤ）モードセル、または高チップレートＴＤＤモードセルである
請求項３４に記載のＩＲＰマネージャモジュール。
（項目３６）
上記ターゲットセルは、ＧＳＭ（登録商標）／ＥＤＧＥ無線アクセスネットワーク（ＧＥＲＡＮ）セルである
請求項３２に記載のＩＲＰマネージャモジュール。
（項目３７）
上記第１の値は、はい、であり、上記第２の値は、部分的、である
請求項３２に記載のＩＲＰマネージャモジュール。
（項目３８）
上記省エネルギーカバレッジ属性は、無線ネットワーク関連のパラメータを含む情報オブジェクトクラスの一部である
請求項３２に記載のＩＲＰマネージャモジュール。
（項目３９）
上記ターゲットセルが、上記ソースセルがまさに省エネルギー状態へ移行しようとするとき、カバレッジを引き継ぐ候補セルとして考えられると推奨されもせず、上記ソースセルがまさに上記省エネルギー状態へ移行しようとするとき、カバレッジを引き継ぐ複数の候補セルの全体として考えられると、少なくとも１つの他のターゲットセルとともに推奨されもしない場合、上記ターゲットセルに対応する上記省エネルギーカバレッジ属性の、上記第１の値および上記第２の値とは異なる、第３の値を格納する手段をさらに備える
請求項３２から３８の何れか一項に記載のＩＲＰマネージャモジュール。
【図１】
0005901841.tif 000004
【図２Ａ】
0005901841.tif 000005
【図２Ｂ】
0005901841.tif 000006
【図３】
0005901841.tif 000007
【図４】
0005901841.tif 000008
【図５】
0005901841.tif 000009
【図６】
0005901841.tif 000010